(57)【要約】      （修正有）【課題】開封端部を視認しやすく、吸収性物品に関する情報を識別しやすい包装体を提供する。【解決手段】包装体は、第１面において開封端部Ｅ１の近傍に配置され、横方向に延在する第１デザイン要素１００と、第１面において第１デザイン要素の近傍であって第１デザイン要素に対して開封端部と反対側に配置され、吸収性物品に関する第１の情報を示す第２デザイン要素２００と、第１面において第１デザイン要素及び第２デザイン要素の近傍であって第１デザイン要素に対して開封端部と反対側に配置され、第１の情報と異なる吸収性物品に関する第２の情報を想起可能な第３デザイン要素３００と、第２面において被覆面及び露出面に跨って配置され、第２デザイン要素及び第３デザイン要素と向きが異なり、被覆面に配置された一部が第１面に覆われ露出面に配置された一部が露出する第２反転デザイン要素２１０及び第３反転デザイン要素３１０と、を有する。【選択図】図１
0003234681.tif 000002
【実用新案登録請求の範囲】
【請求項１】
肌対向面及び前記肌対向面の裏面である非肌対向面を備え着用者の前後方向に対応する縦方向及び前記縦方向に直交する横方向を有する吸収性物品を、前記非肌対向面に設けられた包装シートとともに前記肌対向面を内側にして前記縦方向に折り畳み個包装した、封止テープを有さない、前記吸収性物品の包装体であって、
前記包装シートは、
前記縦方向の一端である開封端部と、他端である被覆端部と、
前記折り畳み時に折り目となる、前記縦方向に互いに離間し前記横方向に延びる第１の折り部及び第２の折り部であって、前記第１の折り部は、前記開封端部及び前記第２の折り部の間に配置される、第１の折り部及び第２の折り部と、
前記開封端部及び前記第１の折り部により区画された第１面と、
前記被覆端部及び前記第２の折り部により区画され、前記被覆端部を含み前記包装体の表面において前記第１面により覆われる被覆面と、前記第１面により覆われずに露出する露出面と、を有する第２面と、
を有し、
前記包装体は、
前記第１面において前記開封端部の近傍に配置され、前記横方向に延在する第１デザイン要素と、
前記第１面において前記第１デザイン要素の近傍であって前記第１デザイン要素に対して前記開封端部と反対側に配置され、前記吸収性物品に関する第１の情報を示す第２デザイン要素と、
前記第１面において前記第１デザイン要素及び前記第２デザイン要素の近傍であって前記第１デザイン要素に対して前記開封端部と反対側に配置され、前記第１の情報と異なる前記吸収性物品に関する第２の情報を想起可能な第３デザイン要素と、
前記第２面において前記被覆面及び前記露出面に跨って配置され、前記第２デザイン要素と向きが異なり、前記被覆面に配置された一部が前記第１面に覆われ前記露出面に配置された一部が露出する第２反転デザイン要素と、
前記第２面において前記被覆面及び前記露出面に跨って配置され、前記第３デザイン要素と向きが異なり、前記被覆面に配置された一部が前記第１面に覆われ前記露出面に配置された一部が露出する第３反転デザイン要素と、
を有する
吸収性物品の包装体。
【請求項２】
前記第１面において、前記第１デザイン要素と前記開封端部とは離間し、前記第１面は、前記第１デザイン要素と前記開封端部との間にデザイン要素が存在しないデザイン要素不存在領域を有する
請求項１に記載の吸収性物品の包装体。
【請求項３】
前記第１デザイン要素と前記開封端部との間の距離は一定である
請求項１又は２に記載の吸収性物品の包装体。
【請求項４】
前記第１デザイン要素と前記開封端部との間の前記距離は５ｍｍ以上２０ｍｍ以下である
請求項３に記載の吸収性物品の包装体。
【請求項５】
前記第２デザイン要素が示す前記第１の情報は前記吸収性物品のスペックであり、前記第２デザイン要素は文字及び／又は数字を含む
請求項１乃至４の何れか一項に記載の吸収性物品の包装体。
【請求項６】
前記第３デザイン要素から想起可能な前記第２の情報は前記吸収性物品の名称である
請求項１乃至５の何れか一項に記載の吸収性物品の包装体。
【請求項７】
前記第２反転デザイン要素の前記縦方向の長さの５０％以上が、前記被覆面に配置され、前記第１面に覆われる
請求項１乃至６の何れか一項に記載の吸収性物品の包装体。
【請求項８】
前記第３反転デザイン要素の前記縦方向の長さの５０％以上が、前記被覆面に配置され、前記第１面に覆われる
請求項１乃至７の何れか一項に記載の吸収性物品の包装体。
【請求項９】
前記第２デザイン要素又は前記第３デザイン要素の少なくとも一方は左右非対称である
請求項１乃至８の何れか一項に記載の吸収性物品の包装体。
【請求項１０】
前記第２反転デザイン要素及び前記第３反転デザイン要素の一部が前記第１面に覆われた状態である前記包装体の前記表面において、前記第２デザイン要素、前記第３デザイン要素、前記第２反転デザイン要素及び前記第３反転デザイン要素は、前記横方向に重ならない位置に配置される
請求項１乃至９の何れか一項に記載の吸収性物品の包装体。
【請求項１１】
前記第１面に配置された前記第２デザイン要素及び前記第３デザイン要素を含むデザイン要素群と、前記第２面に配置された前記第２反転デザイン要素及び前記第３反転デザイン要素を含む反転デザイン要素群とは、向きが異なる
請求項１乃至１０の何れか一項に記載の吸収性物品の包装体。
【請求項１２】
前記第１面において、前記第１デザイン要素と前記開封端部とは離間し、前記第１面は、前記第１デザイン要素と前記開封端部との間にデザイン要素が存在しないデザイン要素不存在領域を有し、
該デザイン要素不存在領域の光線透過率は５０％以上８０％以下であり、
前記被覆面に位置する前記第２反転デザイン要素及び前記第３反転デザイン要素の少なくとも一方は、前記第１面の前記デザイン要素不存在領域を介して視認可能である、
請求項１から１１の何れか一項に記載の吸収性物品の包装体。
【考案の詳細な説明】
【技術分野】
【０００１】
本考案は、吸収性物品が個包装された吸収性物品の包装体に関する。
【背景技術】
【０００２】
おりものシートや生理用ナプキン等の吸収性物品は、コンパクトにして持ち運べる携帯面や肌対向面の露出を防ぐ衛生面の観点から、包装シートにより個包装される。多くの場合、包装シートには、図形等のデザイン要素が施される。特許文献１は、吸収性物品の前後を表現するデザイン要素を含む包装シートで吸収性物品を包装した包装体を開示する。
【先行技術文献】
【特許文献】
【０００３】
【特許文献１】特開２０１８−１０４１００号公報
【考案の概要】
【考案が解決しようとする課題】
【０００４】
一方、吸収性物品の包装体には以下の様な課題がある。例えば、開封端部に封止テープが無い包装体は、開封端部が視認し難い。また、使用者が包装体をパッケージから取り出してポーチ等に入れると、吸収性物品に関する情報（サイズ、吸収容量等）が識別し難い。
【０００５】
以上のような事情に鑑み、本考案の目的は、開封端部を視認しやすく、吸収性物品に関する情報を識別しやすい包装体に関する。
【課題を解決するための手段】
【０００６】
本考案の一形態に係る吸収性物品の包装体は、
肌対向面及び前記肌対向面の裏面である非肌対向面を備え着用者の前後方向に対応する縦方向及び前記縦方向に直交する横方向を有する吸収性物品を、前記非肌対向面に設けられた包装シートとともに前記肌対向面を内側にして前記縦方向に折り畳み個包装した、封止テープを有さない、前記吸収性物品の包装体であって、
前記包装シートは、
前記縦方向の一端である開封端部と、他端である被覆端部と、
前記折り畳み時に折り目となる、前記縦方向に互いに離間し前記横方向に延びる第１の折り部及び第２の折り部であって、前記第１の折り部は、前記開封端部及び前記第２の折り部の間に配置される、第１の折り部及び第２の折り部と、
前記開封端部及び前記第１の折り部により区画された第１面と、
前記被覆端部及び前記第２の折り部により区画され、前記被覆端部を含み前記包装体の表面において前記第１面により覆われる被覆面と、前記第１面により覆われずに露出する露出面と、を有する第２面と、
を有し、
前記包装体は、
前記第１面において前記開封端部の近傍に配置され、前記横方向に延在する第１デザイン要素と、
前記第１面において前記第１デザイン要素の近傍であって前記第１デザイン要素に対して前記開封端部と反対側に配置され、前記吸収性物品に関する第１の情報を示す第２デザイン要素と、
前記第１面において前記第１デザイン要素及び前記第２デザイン要素の近傍であって前記第１デザイン要素に対して前記開封端部と反対側に配置され、前記第１の情報と異なる前記吸収性物品に関する第２の情報を想起可能な第３デザイン要素と、
前記第２面において前記被覆面及び前記露出面に跨って配置され、前記第２デザイン要素と向きが異なり、前記被覆面に配置された一部が前記第１面に覆われ前記露出面に配置された一部が露出する第２反転デザイン要素と、
前記第２面において前記被覆面及び前記露出面に跨って配置され、前記第３デザイン要素と向きが異なり、前記被覆面に配置された一部が前記第１面に覆われ前記露出面に配置された一部が露出する第３反転デザイン要素と、
を有する。
【考案の効果】
【０００７】
本考案の包装体によれば、開封端部を視認しやすく、吸収性物品に関する情報を識別しやすい。
【図面の簡単な説明】
【０００８】
【図１】本考案の一実施形態に係る包装体の表面を示す平面図である。
【図２】包装体を開封し広げた状態の模式平面図であり、包装シートの内面側に吸収性物品が配置された状態を示す。
【図３】包装体の図１のＸ軸線に沿った断面図である。
【図４】包装シートを広げ、表面側から見た平面図である。
【考案を実施するための形態】
【０００９】
以下、図面を参照しながら、本考案の実施形態を説明する。各図面には適宜、相互に直交する縦方向Ｘ、横方向Ｙ、及び厚み方向Ｚが矢印で示されており、それぞれ吸収性物品の縦方向、横方向及び厚み方向に対応している。
【００１０】
［包装体の基本構成］
【００１１】
図１は、本考案の一実施形態に係る包装体の表面を示す平面図である。図２は、包装体を開封し広げた状態の模式平面図であり、包装シートの内面側に吸収性物品が配置された状態を示す。図３は、包装体の図１のＸ軸線に沿った断面図である。図４は、包装シートを広げ、表面側から見た平面図である。
【００１２】
本実施形態に係る包装体１０は、吸収性物品１１と、包装シート１２と、を有する。包装体１０では、吸収性物品１１を包装シート１２とともに折り畳むことで、吸収性物品１１を包装シート１２で包み込む。これにより、包装体１０では、持ち運び時などに吸収性物品１１が包装シート１２によって保護される。
【００１３】
具体的に、包装体１０は、図１に示すように、着用者の前後方向に対応する縦方向Ｘ及び横方向Ｙに沿って延びる４辺を有する矩形の輪郭を有する。また、包装体１０には、包装シート１２によって構成される厚み方向Ｚに対向する表側及び裏側の一対の外面として、表面Ｓ１と裏面Ｓ２と、が設けられている。
【００１４】
図２に示す展開状態の包装体１０では、包装シート１２の内側に吸収性物品１１が保持されている。吸収性物品１１及び包装シート１２はいずれも、長手方向が縦方向Ｘに対応し、短手方向が横方向Ｙに対応する長方形状である。包装シート１２は、少なくとも横方向Ｙに吸収性物品１１よりも大きい。
【００１５】
吸収性物品１１は、着用者の股下に沿って装着可能なパッド状又はシート状に構成される。吸収性物品１１は、液状の排泄物を吸収する吸収体を有するおりものシートとして構成される。これ以外にも、吸収性物品１１は、例えば、生理用ナプキンや尿取りパッドなどとして構成することもできる。吸収性物品１１は、着用者の肌に対向する肌対向面及び肌対向面の裏面である非肌対向面を備え、着用者の前後方向に対応する縦方向Ｘ及び縦方向Ｘに直交する横方向Ｙを有する。吸収性物品１１は、縦方向Ｘの一端であり着用時に前側に位置する前端１１Ｆと、縦方向Ｘの他端であり着用時に後側に位置する後端１１Ｒと、を有する。
【００１６】
包装シート１２としては、吸収性物品１１とともに変形可能な厚み方向Ｚに高い柔軟性を有するシート材が用いられ、例えば、樹脂製フィルム、不織布、紙などから適宜選択することができる。また、包装シート１２は、強度や撥水性などといった吸収性物品１１を良好に保護するために有効な性能を有することが好ましい。包装体１０は、吸収性物品１１を、非肌対向面に設けられた包装シート１２とともに肌対向面を内側にして縦方向Ｘに折り畳み個包装したものであり、着用者が開封時に摘まむための封止テープ（粘着テープ）を有さない。
【００１７】
包装シート１２は、縦方向Ｘの一端である開封端部Ｅ１と、他端である被覆端部Ｅ２とを有する。包装シート１２は、折り畳み時に折り目となる、第１の折り部Ｌ１及び第２の折り部Ｌ２を有する。第１の折り部Ｌ１及び第２の折り部Ｌ２は、縦方向Ｘに互いに離間し横方向Ｙに延びる。第１の折り部Ｌ１は、開封端部Ｅ１及び第２の折り部Ｌ２の間に配置される。第２の折り部Ｌ２は、被覆端部Ｅ２及び第１の折り部Ｌ１の間に配置される。包装シート１２は、第１面Ｒ１と、第２面Ｒ２と、中間面Ｒｍと、を有する。第１面Ｒ１は、開封端部Ｅ１及び第１の折り部Ｌ１により区画される。第２面Ｒ２は、被覆端部Ｅ２及び第２の折り部Ｌ２により区画され、被覆面４１と、露出面４２と、を有する。被覆面４１は、被覆端部Ｅ２を含み、包装体１０の表面Ｓ１において第１面Ｒ１により覆われる。露出面４２は、第１面Ｒ１により覆われずに露出し、包装体１０の表面Ｓ１において視認可能である。中間面Ｒｍは、第１の折り部Ｌ１及び第２の折り部Ｌ２により区画され、包装体１０の裏面Ｓ２を構成する。
【００１８】
吸収性物品１１は、前端１１Ｆが包装シート１２の開封端部Ｅ１側に位置し、後端１１Ｒが包装シート１２の被覆端部Ｅ２側に位置するように、包装シート１２上に配置される。包装シート１２は、横方向Ｙの中央部において吸収性物品１１を保持している。つまり、包装シート１２には、横方向Ｙの両端部に沿って吸収性物品１１を保持していないマージン領域が設けられる。また、包装シート１２には、第１面Ｒ１の開封端部Ｅ１側にも吸収性物品１１を保持していないマージン領域が設けられる。
【００１９】
包装体１０では、図２に示す展開状態から、包装シート１２が吸収性物品１１とともに内側に折り畳まれる。具体的に、包装体１０では、第２面Ｒ２が第２の折り部Ｌ２で中間面Ｒｍ上に折り返された後に、第１面Ｒ１が第１の折り部Ｌ１で中間面Ｒｍ及び第２面Ｒ２上に折り返される。
【００２０】
これにより、図３に示すように、吸収性物品１１と包装シート１２とが厚み方向Ｚに積層された包装体１０が形成される。吸収性物品１１と包装シート１２とを含む包装体１０において、包装シート１２が表面Ｓ１及び裏面Ｓ２を構成し、吸収性物品１１が包装シート１２によって厚み方向Ｚの両側から被覆される。
【００２１】
包装体１０の表面Ｓ１は、包装シート１２の第１面Ｒ１と、第２面Ｒ２における第１面Ｒ１に覆われずに露出した露出面４２と、で構成されている。包装体１０の裏面Ｓ２は、包装シート１２の中間面Ｒｍのみで構成されている。
【００２２】
更に、包装体１０は、一対のシール部１４を有する。シール部１４は、包装体１０の横方向Ｙの両端部にそれぞれ縦方向Ｘに沿って設けられている。シール部１４は、厚み方向Ｚに重なった包装シート１２の第１面Ｒ１、第２面Ｒ２及び中間面Ｒｍ同士を接合することで、包装体１０の横方向Ｙの両端部をシールする。シール部１４は、公知の手法で形成可能である。一例として、シール部１４は、ヒートエンボス加工によって形成可能である。
【００２３】
包装体１０の開封時には、まず第１面Ｒ１の開封端部Ｅ１から第１の折り部Ｌ１に向けてシール部１４が剥がされ、そして第２面Ｒ２の被覆端部Ｅ２から第２の折り部Ｌ２に向けてシール部１４が剥がされる。これにより、包装体１０は、図２に示す展開状態となる。
【００２４】
［包装体のデザイン構成］
【００２５】
図１及び図４に示す様に、包装体１０は、表面Ｓ１において、第１デザイン要素１００と、第２デザイン要素２００と、第３デザイン要素３００と、第２反転デザイン要素２１０と、第３反転デザイン要素３１０と、を有する。第１デザイン要素１００と、第２デザイン要素２００と、第３デザイン要素３００とは、第１面Ｒ１に配置される。第２反転デザイン要素２１０と、第３反転デザイン要素３１０とは、第２面Ｒ２に配置される。
【００２６】
第１デザイン要素１００は、第１面Ｒ１において開封端部Ｅ１の近傍に配置され、横方向Ｙに延在する。第１デザイン要素１００は、着用者が開封時に摘まむための封止テープ（粘着テープ）を有さない包装体１０の開封端部Ｅ１や、開封端部Ｅ１により構成される開封口を、着用者に視覚的に認識させるためのモチーフを含む。本例では、開封端部Ｅ１を認識させるために、第１デザイン要素１００は、スカラップ柄のレース縁取りを表現するモチーフである。また、開封口を認識させるために、第１デザイン要素１００は、包装体１０の横方向Ｙの全域に亘って配置された長細い形状を有する。第１面Ｒ１において、第１デザイン要素１００と開封端部Ｅ１とは縦方向Ｘに離間し、第１面Ｒ１は、第１デザイン要素１００と開封端部Ｅ１との間にデザイン要素が存在しないデザイン要素不存在領域４３を有する。具体的には、デザイン要素不存在領域４３の縦方向Ｘの幅、即ち、第１デザイン要素１００と開封端部Ｅ１との間の距離は５ｍｍ以上２０ｍｍ以下である。これにより、第１面Ｒ１は、開封端部Ｅ１及びそのごく近傍にデザイン要素が存在しない（印刷がない）デザイン要素不存在領域４３を有するため、着用者は、開封端部Ｅ１を明瞭に視認できるので、開封端部Ｅ１を摘まみやすい。第１デザイン要素１００と開封端部Ｅ１との間の距離は一定である。言い換えれば、第１デザイン要素１００と開封端部Ｅ１とは、横方向Ｙに平行である。視覚的に目立つ第１デザイン要素１００に対して開封端部Ｅ１が平行であるため、着用者は、開封端部Ｅ１を明瞭に視認しやすい。
【００２７】
第２デザイン要素２００は、第１面Ｒ１において第１デザイン要素１００の近傍であって第１デザイン要素１００に対して開封端部Ｅ１と反対側に配置される。第２デザイン要素２００は、吸収性物品１１に関する第１の情報を示すモチーフである。第２デザイン要素２００が示す第１の情報は、吸収性物品１１のスペックである。吸収性物品１１のスペックは、例えば、吸収性物品１１の吸収容量、サイズ、機能（クール、抗菌、等）である。第２デザイン要素２００は、文字及び／又は数字（例えば、英数字）を含む。本例では、第２デザイン要素２００は、吸収性物品１１の縦方向Ｘのサイズを示す「１６ｃｍ」の英数字である。
【００２８】
第３デザイン要素３００は、第１面Ｒ１において第１デザイン要素１００及び第２デザイン要素２００の近傍であって第１デザイン要素１００に対して開封端部Ｅ１と反対側に配置される。第３デザイン要素３００は、第１の情報と異なる吸収性物品１１に関する第２の情報を着用者が想起可能なモチーフである。第３デザイン要素３００から想起可能な第２の情報は、例えば、吸収性物品１１の名称（ブランド名称）である。本例では、第３デザイン要素３００は、文字を含まないロゴマークであり、吸収性物品１１の名称を着用者が想起可能である。第３デザイン要素３００は、吸収性物品１１の名称を直接的に示す文字を含んでもよい。第３デザイン要素３００は、少なくとも第１デザイン要素１００及び第２デザイン要素２００を除き、印刷面積が最大であるのが好ましい。第３デザイン要素３００の印刷面積が大きいことで、その近傍の第２デザイン要素２００も強調されてより目立ちやすくなり、着用者が着目しやすい。
【００２９】
ブランド名称やスペック（吸収容量やサイズ等）の異なる複数種類の吸収性物品の包装体をパッケージから取り出してポーチ等に入れておき、着用者が、使用場面や嗜好に応じて吸収性物品を選択して使用することがある。この様なとき、特に複数の異なる製品の包装体のサイズが同じである場合、吸収性物品が包装された包装体の状態では、吸収性物品のブランド名称やスペックを着用者が正しく把握できない場合がある。このため、第２デザイン要素２００を第１面Ｒ１に配置することで、吸収性物品１１が包装された状態では把握が難しい、吸収容量やサイズ等のスペック（第１の情報）を、着用者に提供することができる。また、吸収性物品１１の名称（第２の情報）を着用者が想起可能な第３デザイン要素３００を第１面Ｒ１に配置することで、着用者が吸収性物品１１の名称を使用前に認識できる。また、開封時に着用者が必ず着目する開封端部Ｅ１を認識させるための第１デザイン要素１００の近傍に、第２デザイン要素２００及び第３デザイン要素３００を配置することで、着用者は、第２デザイン要素２００及び第３デザイン要素３００に着目しやすい。第２デザイン要素２００又は第３デザイン要素３００の少なくとも一方は、左右非対称であるのがよい。左右非対称性により目を引きやすく、着用者が第２デザイン要素２００又は第３デザイン要素３００の少なくとも一方に着目しやすい。
【００３０】
第２反転デザイン要素２１０は、第２面Ｒ２において被覆面４１及び露出面４２に跨って配置される。第２反転デザイン要素２１０は、第２デザイン要素２００と同一のデザインであり、即ち、吸収性物品１１に関する第１の情報（吸収性物品１１のスペック）を示す。第２反転デザイン要素２１０は、第２デザイン要素２００と向きが異なる。例えば、第２反転デザイン要素２１０は、第２デザイン要素２００と回転対称である。第２反転デザイン要素２１０は、第２デザイン要素２００と１８０度回転対称（即ち、点対称）であることが好ましい。本例では、第２反転デザイン要素２１０は、第２デザイン要素２００と１８０度回転対称（即ち、点対称）である。被覆面４１に配置された第２反転デザイン要素２１０の一部が第１面Ｒ１に覆われ、露出面４２に配置された第２反転デザイン要素２１０の一部が露出する。第２反転デザイン要素２１０の縦方向Ｘの長さの５０％以上が、被覆面４１に配置され、第１面Ｒ１に覆われるのがよい。
【００３１】
第３反転デザイン要素３１０は、第２面Ｒ２において被覆面４１及び露出面４２に跨って配置される。第３反転デザイン要素３１０は、第３デザイン要素３００と同一のデザインであり、即ち、吸収性物品１１に関する第２の情報（吸収性物品１１の名称）を想起可能である。第３反転デザイン要素３１０は、第３デザイン要素３００と向きが異なる。例えば、第３反転デザイン要素３１０は、第３デザイン要素３００と回転対称である。第３反転デザイン要素３１０は、第３デザイン要素３００と１８０度回転対称（即ち、点対称）であることが好ましい。本例では、第３反転デザイン要素３１０は、第３デザイン要素３００と１８０度回転対称（即ち、点対称）である。被覆面４１に配置された第３反転デザイン要素３１０の一部が第１面Ｒ１に覆われ、露出面４２に配置された第３反転デザイン要素３１０の一部が露出する。第３反転デザイン要素３１０の縦方向Ｘの長さの５０％以上が、被覆面４１に配置され、第１面Ｒ１に覆われるのがよい。
【００３２】
なお、一般に吸収性物品の包装体は金属等とは異なり剛性が小さいので、パッケージ内に複数の包装体が含まれる段階等で局所的にシワやヨレが生じることがある。このため、第２デザイン要素と第２デザイン要素との関係、及び第３デザイン要素と第３反転デザイン要素との関係が、設計上は点対称としても、実際の包装体においては、点対称とならないこともある。本明細書で「向きが異なる」及び「回転対称である」とは、第２デザイン要素と第２反転デザイン要素との関係、及び第３デザイン要素と第３反転デザイン要素との関係が、設計上は点対称としても、実際の包装体においては、点対称とならない場合を含む概念である。言い換えれば、本明細書で「向きが異なる」及び「回転対称である」は、実質的に及び／又は概念的に点対称である場合を包含する。
【００３３】
第２反転デザイン要素２１０は、第１の情報（吸収性物品１１のスペック）を伝達するための、意味のあるモチーフであり、且つ、英数字の様に上下方向が明確なモチーフである。第３反転デザイン要素３１０は、第２の情報（吸収性物品１１の名称）を想起させるための、意味のあるモチーフであり、且つ、ロゴマークや文字の様に上下方向が明確なモチーフである。上下方向が不明瞭な主に装飾のための図柄（本例では花柄）ではなく、上下方向が明確な意味のあるモチーフである第２反転デザイン要素２１０及び第３反転デザイン要素３１０の５０％以上が覆われることで、着用者は、第２反転デザイン要素２１０及び第３反転デザイン要素３１０を覆う第１面Ｒ１の開封端部Ｅ１を開封口として明瞭に視認しやすい。また、第２反転デザイン要素２１０及び第３反転デザイン要素３１０の５０％以上が覆われ、且つ、同一の第２デザイン要素２００及び第３デザイン要素３００と点対称であることで、着用者は、第２反転デザイン要素２１０及び第３反転デザイン要素３１０が配置された第２面Ｒ２側に配置された吸収性物品１１の後端１１Ｒを、背面側として着用すべきであると直感的に認識しやすい。結果的に、吸収性物品１１自体に前面側又は背面側のサインを付す必要性が減るため、吸収性物品１１自体のデザインの自由度が増す。
【００３４】
第１面Ｒ１に配置された第２デザイン要素２００及び第３デザイン要素３００を含む集合を、デザイン要素群４００とする。第２面Ｒ２に配置された第２反転デザイン要素２１０及び第３反転デザイン要素３１０を含む集合を、反転デザイン要素群５００とする。デザイン要素群４００及び反転デザイン要素群５００は、向きが異なる。例えば、デザイン要素群４００及び反転デザイン要素群５００は、回転対称であるのがよい。本例では、デザイン要素群４００及び反転デザイン要素群５００は、１８０度回転対称（即ち、点対称）である。第２反転デザイン要素２１０及び第３反転デザイン要素３１０単体のみならず、これらを含む反転デザイン要素群５００を、デザイン要素群４００に対して点対称とすることで、着用者は、さらに、開封端部Ｅ１を明瞭に視認しやすく、第２面Ｒ２側に配置された吸収性物品１１の後端１１Ｒを、背面側として着用すべきであると直感的に認識しやすい。
【００３５】
第２反転デザイン要素２１０及び第３反転デザイン要素３１０の一部が第１面Ｒ１に覆われた状態である包装体１０の表面Ｓ１において、第２デザイン要素２００、第３デザイン要素３００、第２反転デザイン要素２１０及び第３反転デザイン要素３１０は、横方向Ｙに重ならない位置に配置される。本例では、図１に示す様に、第３反転デザイン要素３１０と第３デザイン要素３００とは、間隔Ｇ１を介して横方向Ｙに重ならない位置に配置される。第３デザイン要素３００と第２デザイン要素２００とは間隔Ｇ２を介して横方向Ｙに重ならない位置に配置される。第２デザイン要素２００と第２反転デザイン要素２１０（一部が第１面Ｒ１に覆われる）の露出部分とは、間隔Ｇ３を介して横方向Ｙに重ならない位置に配置される。第２反転デザイン要素２１０と第３反転デザイン要素３１０とは間隔Ｇ４を介して横方向Ｙに重ならない位置に配置される。この様に、各要素２００，２１０，３００，３１０が横方向Ｙにちりばめられて配置されるため、着用者が片手で包装体１０を持ってもう一方の手で開封端部Ｅ１を摘まんでも、各要素２００，２１０，３００，３１０が全て手で覆い隠されるおそれが少なく、着用者が開封時に各要素２００，２１０，３００，３１０を視認して吸収性物品１１に関する第１の情報（スペック）及び第２の情報（名称）を把握しやすい。
【００３６】
なお、包装体１０では、第１面Ｒ１において、第１デザイン要素１００と開封端部Ｅ１との間に位置するデザイン要素不存在領域４３が、これと厚さ方向に重なっている被覆面４１に配されている第２反転デザイン要素２１０及び第３反転デザイン要素３１０（以下、「各反転デザイン要素２１０、３１０」という）や、各反転デザイン要素２１０、３１０とは異なる絵柄を視認可能であっても良い。ここで「視認可能」とは、各反転デザイン要素２１０、３１０や絵柄の全体像が認識できる程度であれば良く、露出面４２や第１面Ｒ１における各反転デザイン要素や絵柄と同じ程度の明確さを持って見えないことが好ましい。そのようにすることで、着用者にとって、各反転デザイン要素２１０、３１０全体の存在を認識し易くなるとともに、開封端部Ｅ１の位置が認識し易くなるという効果がある。
上述の観点から、第１面Ｒ１におけるデザイン要素不存在領域４３の光線透過率は３０％以上８５％以下であることが好ましく、特に５０％以上８０％以下であることが好ましい。
【００３７】
以上、本考案の実施形態について説明したが、本考案は上述の実施形態にのみ限定されるものではなく、本考案の要旨を逸脱しない範囲内において種々変更を加え得ることは勿論である。
実施形態では、包装体１０が２本の折り部によって縦方向Ｘに折り畳まれる例について説明したが、これに限定されない。
例えば、包装体が横方向Ｙに延びる３本以上の折り部によって縦方向Ｘに折り畳まれてもよい。
【００３８】
なお、図２の形態では、縦方向Ｘに関して、包装シート１２の被覆端部Ｅ２が吸収性物品１１の後端１１Ｒより内側に位置し、吸収性物品１１の後端１１Ｒが包装シート１２の被覆端部Ｅ２からはみ出る。これに代えて、包装シート１２の両端部Ｅ１、Ｅ２が吸収性物品１１の両端１１Ｆ、１１Ｒよりも外側へ延出してもよい。
【００３９】
また、包装体１０は、上述の構成に限定されず、例えば包装シート１２と吸収性物品１１との間に剥離シートを備えていてもよい。
また、以上の実施形態では、吸収性物品としておりものシートの例を示したが、これに限定されない。本考案の吸収性物品は、例えば、尿取りパットや生理用ナプキン等であってもよい。
【００４０】
本技術の各実施形態及び各変形例について上に説明したが、本技術は上述の実施形態にのみ限定されるものではなく、本技術の要旨を逸脱しない範囲内において種々変更を加え得ることは勿論である。
【符号の説明】
【００４１】
１０…包装体
１１…吸収性物品
１２…包装シート
１４…シール部
Ｓ１…表面
Ｓ２…裏面
Ｌ１，Ｌ２…折り部
Ｅ１，Ｅ２…端部
Ｒｍ…中間面
Ｒ１…第１面
Ｒ２…第２面
１００…第１デザイン要素
２００…第２デザイン要素
３００…第３デザイン要素
２１０…第２反転デザイン要素
３１０…第３反転デザイン要素
【図１】
0003234681.tif 000003
【図２】
0003234681.tif 000004
【図３】
0003234681.tif 000005
【図４】
0003234681.tif 000006